(57)【要約】  電気コネクター（図８８の６２）及びこのコネクターの製造方法は、ハウジングの開放第１端部（図９の６６）から反対側の第２端部（図９の７０）まで延在する穴（図８８の６８）を含む。反対両側に角度偏倚した端部を具備し、かつ内側端部アンカー（図２５〜図８９）及び外側端部アンカー（図９〜図２４）によって角度偏倚位置でハウジングと電気接触するようにしっかりと固定される複数のすり板から構成される電気コネクター。一態様では、移動止めは、穴内に挿入可能な導電部材の相補的凹所に係合しかつハウジング内に導電部材を解放可能に保持するように接触する少なくとも１つのすり板に形成される。ハウジングの開放第１端部(図９の６６)から対向する第２端部(図９の７０)へ延在する穴(図８８の６８)を含む電気コネクター(図８８の６２)及びその製造方法。偏倚角度にされた対向する両端部を備える複数の接点細長片から作られ、偏倚角度にされた位置に、内部端部アンカー(図２５〜８９)及び外部端部アンカー(図９〜２４)によってハウジングと電気的に接触して固定された電気接点。一態様では、少なくとも１つの接点細長片に戻り止めが形成され、穴に挿入可能な伝導性部材の窪みと接点を嵌合して、ハウジングの中に伝導性部材を開放可能に保持する。
2005510038.tif 000002
【特許請求の範囲】
【請求項１】
第１及び第２の伝導性要素を接続するための電気コネクターを製造する方法であって、
間隔を置いた複数の接点細長片を備える円筒形の接点を形成する段階において、各接点が両端部の間に延在する第１及び第２の端部を有する段階と、
前記接点をハウジングの穴の開放端部から穴の第２の端部へ向けて挿入する段階と、
部材を前記穴の中に配設する段階と、
前記部材を前記穴の第２の端部に関して強制的に固定して、前記接点細長片の第２の端部を前記ハウジングと電気的に接触する定置に配置する段階と、
各接点細長片の第１及び第２端部を互いに偏倚角度にする段階と、
各接点細長片が第１及び第２端部の間で双曲線状の形を形成するように、接点細長片の第１端部を偏倚角度にした位置に固定する段階とを含む方法。
【請求項２】
前記部材を前記穴の中に配設する前記段階が、
前記部材を前記ハウジングの穴の中でハウジングと異なる部材として配設する段階を含む請求項１に記載の方法。
【請求項３】
前記部材を前記穴の中に配設する前記段階が、
前記接点細長片の第２の端部に近接する前記接点の内部に、前記部材を分離した部材として配設する段階と、
前記部材と、前記接点細長片の第２の端部と、前記ハウジングとを強制的に固定して電気的に接続するために、前記部材を拡張する段階とをさらに含む請求項１に記載の方法。
【請求項４】
前記部材を前記穴の中に配設する前記段階が、
前記接点細長片の第２の端部に近接する前記ハウジングの穴の中に、前記部材を分離した部材として配設する段階と、
前記ハウジングと、前記接点細長片の第２の端部と、前記部材とを電気的に接続して固定するために、前記ハウジングを強制的に変形させる段階とをさらに含む請求項１に記載の方法。
【請求項５】
前記接点細長片の第２の端部に近接する前記部材を前記ハウジングの穴の中に配設する段階をさらに含む請求項１に記載の方法。
【請求項６】
前記部材を前記ハウジングの穴の中に挿入する前に、前記接点細長片の第２の端部を前記部材に固定する段階と、
前記部材を前記ハウジングの穴に挿入する段階と、
前記接点細長片の第２の端部を前記ハウジングに電気的に接続するために、前記ハウジングと前記部材を強制的に接続して固定する段階とをさらに含む請求項１に記載の方法。
【請求項７】
前記ハウジングの穴よりも小さな直径の第２の孔を前記ハウジングの第２の端部を通して形成する段階であって、前記穴の中に前記部材を配設する段階が、
第１の端部から延在する前記ハウジングの穴の中に第２の穴から延在する一部を有する前記部材の一部を、第２の穴を通して前記ハウジングの第２の端部に配設する段階をさらに含む請求項１に記載の方法。
【請求項８】
前記部材を前記穴の中に配設する前記段階が、
前記接点細長片の第２の端部に近接する前記接点の内部に、前記部材の部分を分離した部材として配設する段階と、
前記部材と、前記接点細長片の第２の端部と、前記ハウジングの少なくとも一部とを強制的に電気的に接続して固定するために、前記部材の部分を拡張する段階とをさらに含む請求項７に記載の方法。
【請求項９】
前記部材を前記穴の中に配設する前記段階が、
前記接点細長片の第２の端部に近接する前記ハウジングの穴の中に、前記部材の部分を分離した部材として配設する段階と、
前記ハウジングと、前記接点細長片の第２の端部と、前記部材の少なくとも部分とを電気的に接続して固定するために、前記ハウジングを強制的に変形させる段階とをさらに含む請求項７に記載の方法。
【請求項１０】
前記接点細長片の第２の端部に近接する前記部材の部分を、前記ハウジングの穴の中に配設する段階をさらに含む請求項７に記載の方法。
【請求項１１】
前記部材を前記ハウジングの穴の中に挿入する前に、前記接点細長片の第２の端部を前記部材の部分に固定する段階と、
前記部材を前記ハウジングの穴に挿入する段階と、
前記接点細長片の第２の端部を前記ハウジングに電気的に接続するために、前記ハウジングと前記部材の少なくとも部分を強制的に接続して固定する段階とをさらに含む請求項７に記載の方法。
【請求項１２】
前記部材を前記穴の中に配設する前記段階が、
前記部材を前記ハウジングの穴の第２の端部から延在する部分と一体の部分として形成する段階をさらに含む請求項１に記載の方法。
【請求項１３】
前記部材を前記穴の中に配設する前記段階が、
前記部材と、前記接点細長片の第２の端部と、前記ハウジングとを強制的に電気的に接続して固定するために、前記部材を拡張する段階とをさらに含む請求項１２に記載の方法。
【請求項１４】
前記部材を前記穴の中に配設する前記段階が、
前記ハウジングと、前記接点細長片の第２の端部と、前記部材とを電気的に接続して固定するために、前記ハウジングを強制的に圧縮する段階とをさらに含む請求項１２に記載の方法。
【請求項１５】
前記接点細長片の第２の端部に近接する前記部材を、前記ハウジングの穴の中に配設する段階をさらに含む請求項１２に記載の方法。
【請求項１６】
前記部材を前記ハウジングの穴の中に挿入する前に、前記接点細長片の第２の端部を前記部材に固定する段階と、
前記部材を前記ハウジングの穴に挿入する段階と、次いで、
前記接点細長片の第２の端部を前記ハウジングに電気的に接続するために、前記ハウジングと前記部材を強制的に接続して固定する段階とをさらに含む請求項１２に記載の方法。
【請求項１７】
前記接点細長片の第１の端部を固定する前記段階が、
前記穴の第１の端部と第２の端部の中間に、前記穴の第１の端部から第２のより大きな直径の部分へ延在する直径を小さくした部分を備えるハウジングを形成する段階と、
前記ハウジングの直径を小さくした部分の上に、前記接点細長片の第１の端部を折り曲げる段階と、
前記ハウジングの直径を小さくした部分の定置に、前記接点細長片の第１の端部を固定するために、環状カラーを前記接点細長片の折り曲げた第１の端部の上に搭載する段階とをさらに含む請求項１に記載の方法。
【請求項１８】
前記接点細長片の第１の端部を固定する前記段階が、
前記穴の第１の端部と第２の端部の間に、実質上一定の直径を備えるハウジングを形成する段階と、
前記ハウジングの第１の端部の上に、前記接点細長片の第１の端部を折り曲げる段階と、
前記接点細長片の第１の端部を前記ハウジングに固定するために、前記接点細長片の第１の端部の上にカラーを固定する段階とをさらに含む請求項１に記載の方法。
【請求項１９】
２個の間隔を置いた側部足の間に端部足を備える分離したU形状の部材として前記接点細長片を形成する段階と、
近接する前記接点細長片の側部足から周辺で間隔を置いて、前記接点細長片の端部足を重ねあわせ、かつ前記接点細長片を偏倚角度にする段階と、
前記接点細長片の端部足を互いに固定する段階と、
前記接点細長片を前記ハウジングの穴の中に挿入する段階であって、次いで、
前記部材を前記穴の中に配設し、前記部材を強制的に固定する段階とをさらに含む請求項１に記載の方法。
【請求項２０】
前記接点細長片の前記端部足を固定する前記段階が、
前記接点細長片の重ね合わせた前記端部足を溶接する段階を含む請求項１９に記載の方法。
【請求項２１】
前記接点細長片を、対向する第１及び第２の端部を有する個別の部材として形成する段階と、
前記接点細長片の１個の端部を、周辺で間隔を置く配列に固定する段階とをさらに含む請求項１に記載の方法。
【請求項２２】
少なくとも１個の接点細長片に半径方向に内方向に延伸する戻り止めを形成する段階と、
前記ハウジングの穴に挿入するようにされた環状の窪みを伝導性部材に形成して、前記少なくとも１個の戻り止めを開放可能に前記環状窪みと接触させ、前記伝導性部材を前記ハウジングの中に開放可能に保持する段階とをさらに含む請求項１に記載の方法。
【請求項２３】
前記戻り止めを形成する前記段階が、
複数の環状に整列した戻り止めを複数の接点細長片に形成する段階をさらに含む請求項２１に記載の方法。
【請求項２４】
前記少なくとも１個の戻り止めを形成する前記段階が、
弓形の戻り止めを形成する段階を含む請求項２２に記載の方法。
【請求項２５】
前記少なくとも１個の戻り止めを形成する前記段階が、
傾斜する形状の戻り止めを形成する段階を含む請求項２２に記載の方法。
【請求項２６】
前記接点細長片の第１及び第２の端部の１個を固定する前記段階が、
前記穴を取り囲む前記ハウジングの側壁に少なくとも１個の可動羽板を形成する段階であって、少なくとも１個の羽板が、前記ハウジングの側壁と連続する第１の部分及び前記ハウジングの穴の中に配設されて前記ハウジングの側壁から間隔を置く第２の部分を有し、前記羽板の第２の部分が前記ハウジングの側壁に開口を画定する段階と、
前記接点細長片の第１及び第２の端部の１個を前記ハウジングの側壁の開口を通して挿入する段階と、
前記少なくとも１個の羽板の第２の部分を前記ハウジングの開口の中に押し込んで、前記接点細長片の第１及び第２の端部の１個を前記ハウジングの側壁に固定して電気的に接続する段階とを含む請求項１に記載の方法。
【請求項２７】
前記羽板を形成する前記段階が、
第１の部分と第２の部分の間に、前記羽板を連続して全体的に平坦な形に形成する段階をさらに含む請求項２６に記載の方法。
【請求項２８】
前記羽板を形成する前記段階が、
前記ハウジングの側壁の中に複数の羽板を形成する段階であって、各羽根板が前記ハウジングの周りに少なくとも１個の環状帯の中に配設され、各羽根板が前記接点細長片の第１及び第２の端部の１個の一端部を受容するようにされている段階をさらに含む請求項２６に記載の方法。
【請求項２９】
前記複数の羽板を形成する前記段階が、
前記ハウジングの側壁の少なくとも２個の軸線方向に間隔を置く環状帯に、複数の羽板を形成する段階をさらに含む請求項２８に記載の方法。
【請求項３０】
前記羽板を形成する前記段階が、
前記ハウジングの側壁から間隔を置き、かつ前記ハウジングの側壁からフランジへ連続して延伸する２個の側部足によってハウジングに接続されたフランジとして羽板の第２の部分を形成する段階と、
１つの前記接点細長片の第１及び第２の端部の１個を、前記羽板の第２の部分と前記ハウジングの側壁の第２の部分によって画定される開口の間に挿入する段階と、
前記第２の部分を前記ハウジングの側壁の開口に動かして、前記接点細長片の第１及び第２の端部の１個を前記ハウジングの側壁に固定して電気的に接続する段階とをさらに含む請求項２６に記載の方法。
【請求項３１】
前記羽板を形成する前記段階が、
前記羽板を、両側に画定される第１の部分によってハウジングの側壁に連結されたフランジとして形成する段階であって、前記フランジが、前記ハウジングの側壁に関して対向して角度を付けて配設された第１の端部及び第２の端部によって画定される対向する第２の部分を有し、前記フランジの第１の端部及び第２の端部が、前記フランジによって分離された、前記ハウジングの側壁中の対向する第１及び第２の開口を画定する段階と、
２個の接点細長片の端部を第１及び第２の対向する開口の中に挿入する段階と、
前記フランジを前記ハウジングの側壁の所定位置に動かして第１及び第２の開口を閉じ、かつ前記２個の接点細長片の端部を前記ハウジングに固定して電気的に接続する段階とをさらに含む請求項２６に記載の方法。
【請求項３２】
前記部材を前記穴の中に配設する前記段階が、
前記部材の中に開口を設ける段階と、
前記ハウジングの中に前記穴の第２の端部から穴の中に延伸する突起を設ける段階と、
前記部材を前記突起の上に配設する段階と、
前記部材を前記突起に関して固定して前記接点細長片の第２の端部を前記ハウジングに固定する段階とをさらに含む請求項１に記載の方法。
【請求項３３】
前記部材を前記穴の中に配設する前記段階が、
前記部材を前記接点細長片の第２の端部及び前記ハウジングの中に強制的に拡張する段階をさらに含む請求項３２に記載の方法。
【請求項３４】
前記部材を前記穴の中に配設する前記段階が、
前記突起を強制的に拡張して前記部材及び前記接点細長片の第２の端部に固定する段階をさらに含む請求項３２に記載の方法。
【請求項３５】
半径方向に拡張する傾斜のある側壁を備える前記突起を形成する段階と、
前記部材が前記突起上に押しつけられるように前記部材を半径方向に外側に拡張する段階と、
前記突起及び前記部材を前記接点細長片の第２の端部と前記ハウジングに固定する段階とをさらに含む請求項３２に記載の方法。
【請求項３６】
前記部材を前記穴の第２の端部に関して固定する前記段階が、
前記穴の第２の端部から前記穴の中に延伸する突起を設ける段階と、
前記突起を前記部材に溶接する段階とをさらに含む請求項１に記載の方法。
【請求項３７】
請求項１の方法によって製造した電気コネクター。
【請求項３８】
第１及び第２の伝導性要素を接続するための電気コネクターであって、
ハウジングの第１の端部から第２の端部へ延在する穴を有するハウジングと、
第１の端部を通して前期ハウジングの穴に搭載された、複数の引き伸ばされた接点細長片であって、前記接点が第１及び第２の端部を有し、第１の端部と第２の端部の間に双曲線状の形状を形成するように第１及び第２の端部が偏倚角度にされた接点細長片と、
前記接点の第１の端部を前記ハウジングの第１の端部に固定して接続するための外部アンカー手段と、
前記接点の第２の端部を前記ハウジングの穴の内部に固定して接続するための内部アンカー手段とを含む電気コネクター。
【請求項３９】
前記内部アンカー手段が、
前記ハウジングの穴の中に前記ハウジングとは別の部材を含む請求項３８に記載の電気コネクター。
【請求項４０】
前記部材と、前記接点細長片の第２の端部と、前記ハウジングを強制的に固定して電気的に接続するための、強制的に拡張することのできる前記部材をさらに含む請求項３９に記載の電気コネクター。
【請求項４１】
前記ハウジングと、前記接点細長片の第２の端部と、前記部材とを固定して電気的に接続するための、変形することのできる前記ハウジングをさらに含む請求項３８に記載の電気コネクター。
【請求項４２】
前記ハウジングの穴の中に、前記接点細長片の第２の端部に近接して配設された前記部材をさらに含む請求項３８に記載の電気コネクター。
【請求項４３】
前記部材を前記ハウジングの穴の中に挿入する前に前記部材に固定された、前記接点細長片の第２の端部をさらに含む請求項３８に記載の電気コネクター。
【請求項４４】
前記ハウジングの第２の端部を通して形成された、前記ハウジングの穴よりも小さな直径の第２の孔と、
より小さな直径の前記孔を通して前記ハウジングの第２の端部に配設され、第１の端部から前記ハウジングの穴の中に延伸する部分を有する前記部材とをさらに含む請求項３８に記載の電気コネクター。
【請求項４５】
前記ハウジングとは異なる前記部材と、
前記部材と、前記接点細長片の第２の端部と、前記ハウジングとを強制的に固定して電気的に接続するための、強制的に拡張することのできる前記部材とをさらに含む請求項４４に記載の電気コネクター。
【請求項４６】
前記ハウジングとは異なり、かつ前記接点細長片の第２の端部に近接して配設された前記部材と、
前記ハウジングと、前記接点細長片の第２の端部と、前記部材とを固定して電気的に接続するための、変形することのできる前記ハウジングとをさらに含む請求項４４に記載の電気コネクター。
【請求項４７】
前記ハウジングの穴の中に、前記接点細長片の第２の端部に近接して配設された前記部材をさらに含む請求項４４に記載の電気コネクター。
【請求項４８】
前記部材を前記ハウジングの穴の中に挿入する前に前記部材に固定された、前記接点細長片の第２の端部をさらに含む請求項４４に記載の電気コネクター。
【請求項４９】
開口を有する前記部材と、
前記ハウジングに支持され、かつ前記ハウジングの穴の第２の端部から延伸する突起と、
前記開口を通して前期突起に嵌合され、かつ強制的に拡張して前記接点細長片の第２の端部及び前記ハウジングに固定して電気的に接続することのできる前記部材とをさらに含む請求項３８に記載の電気コネクター。
【請求項５０】
開口を有する前記部材と、
前記ハウジングに支持され、かつ前記ハウジングの穴の第２の端部から延伸する突起と、
前記開口を通して前期突起に嵌合された前記部材と、
前記部材と、前記接点細長片と、前記ハウジングとを固定して電気的に接続するために、強制的に変形することのできる前記ハウジングとをさらに含む請求項３８に記載の電気コネクター。
【請求項５１】
前記穴の第２の端部から離れた第１の端部から前記穴の第２の端部へ半径方向に外側へ傾斜する側壁を有する前記突起と、
前記突起上に強制的に挿入されたときに半径方向に拡張できる前記部材とをさらに含む請求項４９に記載の電気コネクター。
【請求項５２】
前記穴の第２の端部から前記ハウジングの穴の中に延伸する突起と、
前記突起に固定して溶接された前記部材とをさらに含む請求項３８に記載の電気コネクター。
【請求項５３】
前記部材が前記ハウジングと一体化された部分であり、前記部材が前記穴の第２の端部から前記穴の中へ延伸する部分を有する請求項３８に記載の電気コネクター。
【請求項５４】
前記接点細長片の第２の端部と前記ハウジングを強制的に固定して電気的に接続するために拡張することのできる前記部材をさらに含む請求項５３に記載の電気コネクター。
【請求項５５】
前記接点細長片の第２の端部と前記部材を固定して電気的に接続するために変形することのできる前記ハウジングをさらに含む請求項５３に記載の電気コネクター。
【請求項５６】
前記ハウジングの穴の中に前記接点細長片の第２の端部に近接して配設された前記部材をさらに含む請求項５３に記載の電気コネクター。
【請求項５７】
前記部材を前記ハウジングの穴の中に挿入する前に前記部材に固定された前記接点細長片の第２の端部をさらに含む請求項３８に記載の電気コネクター。
【請求項５８】
前記穴の第１の端部と第２の端部の中間に、前記穴の第１の端部から第２のより大きな直径の部分へ延在する直径を小さくした部分を備えて形成された前記ハウジングと、
前記ハウジングの直径を小さくした部分の上に折り曲げられた前記接点細長片の第１の端部と、
前記接点細長片の第１の端部を前記ハウジングの直径を小さくした部分の定置に固定するために、前記接点細長片の折り曲げた第１の端部の上に搭載された環状カラーとをさらに含む請求項３８に記載の電気コネクター。
【請求項５９】
前記穴の第１の端部と第２の端部の間に、実質上一定の直径を備えて形成された前記ハウジングと、
前記ハウジングの第１の端部の上に折り曲げられた前記接点細長片の第１の端部と、
前記接点細長片の第１の端部を前記ハウジングに固定するために、前記接点細長片の第１の端部の上に固定されたカラーとをさらに含む請求項３８に記載の電気コネクター。
【請求項６０】
２個の間隔を置いた側部足の間に結合された端部足を備える、分離したU形状の部材として形成された前記接点細長片と、
重ね合わせた複数の前記接点細長片及び近接する前記接点細長片の端部足を周辺で間隔を置くために偏倚角度にした前記接点細長片の各々の端部足と、
互いに固定された前記接点細長片の端部足とをさらに含む請求項３８に記載の電気コネクター。
【請求項６１】
互いに溶接された前記接点細長片の重ね合わせた端部足をさらに含む請求項６０に記載の電気コネクター。
【請求項６２】
対向する第１及び第２の端部を有する個別の部材として形成された前記接点細長片と、
前記部材に周辺で間隔を置いた配列で固定された前記接点細長片の端部の１個とをさらに含む請求項３８に記載の電気コネクター。
【請求項６３】
対向する接点細長片に向かって延伸する、少なくとも１個の前記接点細長片に形成された半径方向に内方向に延伸する戻り止めと、
前記少なくとも１個の戻り止めを開放可能に前記環状窪みと接触させて、前記伝導性部材を前記ハウジングの中に開放可能に保持するために、前記ハウジングの穴に挿入するように伝導性部材に形成された環状の窪みとをさらに含む請求項３８に記載の電気コネクター。
【請求項６４】
前記戻り止めが、
複数の前記接点細長片の中に環状に配列された複数の戻り止めをさらに含む請求項６３に記載の電気コネクター。
【請求項６５】
前記少なくとも１個の戻り止めが弓形の形状を有する請求項６３に記載の電気コネクター。
【請求項６６】
前記少なくとも１個の戻り止めが傾斜する形状を有する請求項３８に記載の電気コネクター。
【請求項６７】
前記穴を取り囲む前記ハウジングの側壁に形成された少なくとも１個の羽板であって、前記少なくとも１個の羽板が、前記ハウジングの側壁と連続する第１の部分及び前記ハウジングの穴の中に配設されて前記ハウジングの側壁から間隔を置く第２の部分を有し、前記羽板の自由端部が前記ハウジングの側壁に開口を画定する羽板と、
前記ハウジングの側壁の開口中に配設された、１個の前記接点細長片の第１及び第２の端部の１個と、
前記接点細長片の第１及び第２の端部の１個を前記ハウジングの側壁に固定して電気的に接続するための、前記ハウジングの開口の中に押し込まれた羽板とを含む請求項３８に記載の電気コネクター。
【請求項６８】
前記羽板が、第１の端部と第２の端部の間に連続的な全体的に平坦な形状を有する請求項６７に記載の電気コネクター。
【請求項６９】
前記少なくとも１個の羽板が、
前記ハウジングの側壁に形成された複数の羽板であって、各羽根板が前記ハウジングの周りの少なくとも１個の環状帯の中に実質上同じように作られて配置され、各羽根板が前記接点細長片の第１及び第２の端部の１個の一端部を受容するようにされている羽板をさらに含む請求項６７に記載の電気コネクター。
【請求項７０】
前記複数の羽板が、
前記ハウジングの側壁の、少なくとも２個の軸線方向に間隔を置いた環状帯に配設されている請求項６９に記載の電気コネクター。
【請求項７１】
前記羽板が、
前記ハウジングの側壁から間隔を置き、かつ前記ハウジングの側壁からフランジへ連続して延伸する２個の側部足によってハウジングに接続されたフランジと、
前記羽板のフランジと前記ハウジングの側壁のフランジによって画定される開口の間に配設された、１個の前記接点細長片の第１及び第２の端部の１個と、
前記接点細長片の第１及び第２の端部の１個を前記ハウジングの側壁に固定して電気的に接続するために、前記ハウジングの側壁の開口中に配設された前記フランジとをさらに含む請求項６７に記載の電気コネクター。
【請求項７２】
前記羽板が、
前記ハウジングの側壁の両側に連結されたフランジであって、前記フランジが、ハウジングの側壁に関して対向して角度を付けて配設された第１の端部及び第２の端部を有し、前記フランジの第１及び第２の端部が、前記フランジによって分離された、前記ハウジングの側壁の対向する第１及び第２の開口を画定するフランジと、
前記第１及び第２の対向する開口の中に配設された前記２個の接点細長片の端部と、
前記第１及び第２の開口を閉じ、かつ前記２個の接点細長片の端部を前記ハウジングに固定して電気的に接続する、ハウジングの側壁の所定位置に配設された前記フランジとをさらに含む請求項６７に記載の電気コネクター。
【発明の詳細な説明】
【技術分野】
【０００１】
本発明は、全体として電気コネクターに関し、より詳細には、バレル端子とも呼ばれる半径方向に弾発性のある電気ソケットに関し、円筒形の電気爪またはピンがソケット内に軸線方向に挿入され、ソケットの内部表面が、円筒形のスリーブの内部に搭載されて偏倚角度にされた端部間に傾斜している複数の接点細長片またはワイヤによって画定されている。
【背景技術】
【０００２】
半径方向に弾発性のある電気ソケットまたはバレル端子は良く知られた電気コネクターの１種であって、２つの従来技術文献に示されており、両方とも本発明の譲受人に譲渡されている（例えば、特許文献１及び２参照）。
【特許文献１】米国特許第４,６５７,３３５号明細書
【特許文献２】米国特許第４,７３４,０６３号明細書
【０００３】
それらの電気ソケットまたはバレル端子では、内側方向に間隔を置いて横方向に延在し、かつシートの対向する端部と平行なウェブを備える、全体的に矩形の打ち抜き品(stamping)が形成される。横方向のウェブの内側端部の間には、複数の均一な間隔をもつ平行な溝穴が形成されて、複数の均一に間隔を置く平行な長手方向に延在する細長片を画定し、細長片は、対向する端部で横方向の両ウェブの内側端部に連結される。他の長手方向に延在する溝穴がシート中に同軸線方向に形成され、打ち抜き品の終端部から横方向のウェブの外側端部に向かって内側へ延在して、均一な間隔を置く長手方向に延在する複数のタブを形成し、タブは各横方向のウェブから外側へ突出する。
【０００４】
次いで打ち抜き品またはシートは円筒形状に成形され、長手方向の細長片が円筒形になったシートの軸線に平行に延在する。緊密に嵌合するスリーブが円筒形の打ち抜き品の外側周辺の周りに同軸線方向に嵌め込まれ、実質上横方向のウェッブの両外側端部の間に軸線方向に延在する。次いで、打ち抜き品の各端部の搭載タブは、スリーブに対して半径方向に延在する関係になるように、スリーブの終端を横切って外側へ折り曲げられる。
【０００５】
次いで、比較的緊密に嵌合するカラーまたは外側バレルを、スリーブの一端部で半径方向に突出するタブに向かって軸線方向に進めてスリーブの一端部の上に滑り込ませ、そのスリーブの終端のタブをスリーブの一端部の外側表面に面と面が向き合う形に下方向に向ける。スリーブへの環状カラーの固定は、カラーが配置される円筒形打ち抜き品の端部がスリーブに緊密に締結されて、スリーブに対する軸線方向または回転の動きの両方に対抗するように選択される。次いで、一般に均一な間隔を置いて軸線方向に突出する環状の歯の配列を有する工具を、スリーブの反対側端部の半径方向に突出するタブに嵌合する。工具の歯は、円筒形スリーブの外側表面に近接して半径方向に突出するタブの間に軸線方向に突出するように配置されている。次いで、工具を円筒形スリーブの長手方向の軸の周りに回転させ、スリーブを定置のまま保持しながら、嵌合したタブをその元の回転可能な配置からスリーブの反対側の端部の折り曲げタブ及びスリーブに関して約１５°〜４５°回転方向に動かす。次いで、工具を引き抜き、第２の環状カラーまたは外側のバレルをタブ及びスリーブの上に強制的に嵌め込み、打ち抜き品(blank)の反対側を工具によって作られた回転方向にずらされた位置に配置して固定する。完了すると、その電気ソケットは、円筒形スリーブの両端部に近接する偏倚角度にされた両配置の間に、一般に直線状に延在する長手方向の細長片を有する。長手方向の細長片が互いに画定する内部空間(envelope)は、円筒形スリーブの軸と同軸の回転面であり、細長片がそれぞれのウェブと連結される点で等しく最大半径を有し、細長片の長さの中間ではいくらか小さな半径を有する。細長片の両端の中間の最小半径はバレルソケットに挿入される円筒形のコネクターピンの半径よりもわずかに小さく選択されており、ピンがバレルソケットに装着されたときにピンを摩擦で強固に把握するには、ピンの挿入によって個々の長手方向の細長片がわずかに長手方向に引っ張られることが必要である。
【０００６】
言い換えれば、各細長片の両端が偏倚角度にされた配列であるため、各細長片はスリーブの内壁から半径方向に間隔があり、スリーブの両端間の中間で外側スリーブに関して漸進的に最大の放射状間隔に達する。
【０００７】
それらの半径方向に弾発性のある電気バレルソケットは、挿入可能なピンと確実に嵌合する効果的な電気コネクターを提供し、一方、ソケットに対して手動によるピンの引き抜きまたは挿入を容易にする。また、それらのコネクターは、ピンとソケットの間に大きな電気的接触面積を提供し、それらのコネクターは高電流の用途に使用することが可能になる。
【０００８】
また、カラーの１つを全体のコネクターの一部を形成する支持部材との一体部品または延長部として形成する方法によってそれらのコネクターを作ることも知られている。ソケットの両端の分離したカラーが、１つの端部の１個のカラー及び車両用発電機などの電子装置に挿入し、さもなければ電気的に接触させる、コネクターの中空の円筒形の延在部に置き換えられる以外は、前述の組み立てプロセスは同じままである。支持体の中空の円筒形端部はスリーブの第１の端部のタブを受容して回転に対して強固に保持するが、反対側のタブは角度的に回転する。次いで、カラーまたは端部キャップを回転したタブの上に締結してそれらのタブを回転した位置に保持する。
【発明の開示】
【発明が解決しようとする課題】
【０００９】
しかし、それらの半径方向に弾発性のある電気ソケットをさらに修正し、または強化して製造コストを低減させ、同様にそれらのソケットまたは端子を、それらが電気的に接続される電子装置に搭載しまたは取り付けることを簡単にすることが可能であると考えられる。
【課題を解決するための手段】
【００１０】
本発明は、第１及び第２の電気的伝導性要素を接続する電気コネクター及びその製造方法である。
【００１１】
一態様において、本発明は、各々接点の両端部の間に延在する第１及び第２の端部を有する、複数の間隔を置いた接点細長片を備える円筒形の接点を形成する段階と、接点をハウジングの穴の開放端部から穴の第２の端部へ向けて挿入する段階と、部材を穴の中に挿入する段階と、部材をハウジングに対して強制的に固定して、接点細長片の第２の端部をハウジングと電気的に接触する定置に配置する段階と、各接点細長片の第１及び第２端部を互いに偏倚角度にする段階と、各接点細長片が第１及び第２端部の間で双曲線状の形を形成するように、接点細長片の第１端部を固定する段階とを含む電気コネクターを製造する方法である。
【００１２】
他の態様において、本発明は、ハウジングの第１の端部から第２の端部へ延伸する穴を有するハウジングと、穴の中に搭載された複数の引き伸ばされた接点細長片から形成される接点と、各接点細長片が第１及び第２端部の間で双曲線状の形を形成するように、各接点細長片の第１及び第２端部を互いに偏倚角度にした、第１及び第２の端部を有する接点と、接点の第１の端部をハウジングの第１端部に固定して接続するための外部の端部固定手段と、接点の第２の端部をハウジングの内部に固定して接続するための内部の固定手段とを含む電気コネクターである。
【００１３】
複数の異なる内部端部アンカー及び外部端部アンカーは本発明の部分として開示されている。内部端部アンカーの各々は、外部アンカーと交換可能に使用することができる。
【００１４】
戻り止め接点細長片構造は、コネクターの引き抜き力を増加させて、電気コネクターのハウジングの中に挿入可能な伝導性部材を確実に保持するために提供される。
【００１５】
本発明の部分として開示される様々な内部端部アンカー及び外部端部アンカーによって、個々の接点細長片を双曲線状に画定する、偏倚角度にされた端部を有する電気接点を、殆ど閉じた内部端部を有するハウジングの穴の中に搭載することが容易になる。内部端部アンカーは、接点細長片の第２の端部をハウジングと定置に、かつ電気的に嵌合することによって、接点の最も内部の端部を固定した位置に固定する。外部端部アンカーは、接点細長片の第１の端部をハウジングに関して定置の固定した位置に固定し、同時に、接点細長片の対向する第２の端部に関して偏倚角度の位置に固定する。
【００１６】
本発明の種々の特徴、利点及び他の用途は以下の詳細な説明及び図面を参照することによってより明らかになろう。
【発明を実施するための最良の形態】
【００１７】
本発明の１つの態様による電気コネクターで使用されるバレルソケットの構造体は、自身が製造される態様の記述によって最も良く説明される。
【００１８】
バレルソケットの製造の第１段階は、この用途に上手く適合された機械的及び電気的特性の両方を有するベリリウム銅合金である平坦な部片のシートメタルから図１に示される形態のブランクの型打ちである。
【００１９】
図１を参照すると、全体的に参照符号２０で示されたブランクは、全体的に矩形形状構成に型打ちすなわち打ち抜かれかつ、ウェブ部分２２のそれぞれの内側端縁間に延在する複数の均一な間隔の平行で長手方向に延在するストリップ２４によって互いに一体的に連結される１対の間隔を置かれ配置され平行で横方向に延在する連結ウェブ部分２２が形成される。複数の間隔を置かれ平行なタブ２６は、それぞれの横方向ウェブ２２の外側端縁から長手方向外向きに突出する。
【００２０】
製造工程の第２段階は図２に示されかつ、水平な、円筒状の、管状の形状構成に形成されたブランク２０を作り出す。円筒状管の軸線は長手方向ストリップ２４及びタブ２６に平行に延在する。
【００２１】
ブランク２０が、図２の円筒状管類の形状構成に形成された後、ぴったり合った円筒状スリーブ２８は、図３に示すようなチューブ上で摺動される。スリーブ２８の軸線方向長さは該スリーブ２８の反対側端部から外向きに突出するタブ２６を残す長手方向に直角なウェブ２２の両方に関して延在するには十分である。
【００２２】
図４に示す次の段階では、突出するタブ２６は、スリーブの軸線の半径方向外向きに突出するスリーブ２８の一端部の端縁を横切って外向きにフレアが付されるか又は曲げられる。
【００２３】
図５に示すプロセスの次の段階では、一時的な第１ハウジング又は取付け具３０は、反対側端部３６への第１端部３４から少なくとも延在する中央穴３２を具備する。穴３２はタブ２６の厚さと等しい距離だけ円筒状スリーブ２８の直径より大きな直径を有する。第１ハウジング３０は、スリーブ２８の一端部上で軸線方向に打ち込まれるか、あるいはスリーブ２８は、第１ハウジング３０の第１及び第２端部３４及び３６の１つ内に軸線方向に打ち込まれる。スリーブ２８及び第１ハウジング３０の強制的な相互接続は、スリーブ２８の一端部で半径方向にフレアが付されたタブ２６をこれら自身の背後に曲げてスリーブ２８の外側表面と面と面を合わせた状態にする。穴３２の内径は、第１ハウジング３０、ブランク２０の第１端部及びスリーブ２８が、図５に示す位置にある場合に、第１ハウジング３０が、スリーブ２８に対するタブ２６の何れの軸線方向又は回転運動も阻止するスリーブ２８の外側表面にタブ２６を固締するタブ２６上に十分な力を働かせる。
【００２４】
次に、図６に示すように、スリーブ２８の反対側端部のタブ２６は、スリーブ２８の軸線から半径方向外向きに突出するスリーブ２８の反対側端部端縁を横切って半径方向外向きにフレアを付されるか又は曲げられる。
【００２５】
図７に示す次の段階では、一端部上で均一に間隔を置かれ、軸線方向に突出する歯５２を具備する管状ツール５０は、スリーブ２８の一端部から突出する半径方向に突出するタブ２６と係合する。ツール５０の内径は、ツールがスリーブ２８の外径とゆるい摺動すきま嵌めを有するようなものであり、歯５２は、隣接し、半径方向に突出するタブ２６間の間隔を貫通して突出するように互いに離隔される。
【００２６】
ツール５０が、半径方向に突出するタブ２６間の歯５２で据え付けられる場合、第１ハウジング３０は固締されるか、あるいは、さもなければ回転しないように保持される。ツール５０はスリーブ２８に同軸的な関係で、通常は約１５°〜約４５°である所定角度だけ回転される。ツール５０のこの動作は、スリーブ２８に対して第１ハウジング３０によって回転しないように保持された予め固定された端部からブランク又はシート２０の一端部を回転偏倚させる。ブランク又はシート２０が好ましくは作られるベリリウム銅合金の特徴は、材料がある弾発性を所有するが、ツール５０によって与えられた回転は、回転された位置にブランク２０を恒久的に設置するというものである。
【００２７】
次に、図８にまた示すように、第１端部４４から反対側端部４６まで延在する貫通穴４２を具備する第２ハウジング４０は、スリーブ２８上で軸線方向に打ち込まれて半径方向外向きに延在するタブ２６に当るか、あるいはスリーブ２８の両端及び第１ハウジング３０から外向きに延在するブランク２０は第２ハウジング４０の穴４２内に軸線方向に打ち込まれる。第２ハウジング４０は、その後、第１ハウジング３０に対して前進され、第２ハウジング４０の穴４２の内側表面に圧力嵌めされて半径方向に延在し、角度的に偏倚されたタブ２６と係合するようになる。これによりタブ２６を曲げてスリーブ２８の他方の端部の外側表面と面と面で係合させる。
【００２８】
第２ハウジング４０及び第１ハウジング３０は、スリーブ２８の外側表面に対してスリーブ２８の各端部で角度的に偏倚されたタブ２６を不動に保持するように互いに対して当接するように前進される。
【００２９】
しかしながら、上記バレル端子は、上述した曲げ、挿入及び錠止操作を行うために何れかの端部からブランクすなわちグリッド２０上のタブ２６へのアクセスを可能にする対向する開放両端部を具備する。
【００３０】
本発明の一態様によれば、変更されたバレル端子は、図９に示されかつ部分すなわち本体６２と、隣接する、全体的に軸線方向に又は角度をなして間隔を置かれた導体又はピン受容部分６４と、を受容するバレル端子を具備する端子ハウジング６０に取り付けられる。したがって、バレル端子受容部分すなわちハウジング６２はピン又は導電体受容部分すなわち本体６４と軸線方向に整合されて示されているが、２つの本体部分６２及び６４は、隣接又は連結されながらも、４５°、９０°等の何れの角度にも配置し得る。
【００３１】
本発明によれば、部分すなわち本体６２を受用するバレル端子は、「第１又は外端部」として以降規定される、第１開放端部６６を有する。穴６８は、「盲穴端部」とも呼ばれておち、内壁７０の第１外端部６６から延在する。
【００３２】
ピン受容本体６４は、同様に、第１開放端部７２と、該第１開放端部７２から内壁７６まで延在する貫通穴７４と、を具備する。穴７４は、電気接続するピン又は導電体を受容するように構成される。
【００３３】
さらに、ピン受容本体６４は、本体６４が適切な装置によって作られた内部電気回路内のバッテリーの一体部品として構成されるバッテリーのような電気使用装置の一部としても構成し得る。
【００３４】
図９に示す端子ハウジング６０は、平坦な金属ストックから構成され、次に、所望の円筒形状構成に形成されるか、あるいは金属棒ストックから機械加工し得る。
【００３５】
幾つかの異なる方法の何れか１つにより構成されたバレル端子８０は、バレル端子本体６２の穴６８に取り付け可能である。以降より詳細に説明するように、バレル端子８０は、複数の相互連結細長片８６の反対両端にウェブ８２及び８４を具備する型押しされた格子から構成される。タブ８８は、ウェブ８２及び８４とは反対にそれぞれ延在し、かつ外部端部アンカー及び内部端部アンカーによってバレル端子本体６２に適所で固定される。僅かに、非双曲線状態の細長片８２より、実質的な中央位置で、小さな内径を有する端から端まで双曲線形状に各細長片を配置するために細長片８６が角度的に端から端まで偏倚された後では、この直径は、バレル端子と挿入されたピンとの間に確実に電気的接触を与えるように、バレル端子８０に挿入されたピン又は導体の外径より通常は小さい。
【００３６】
あるいは、バレル端子８０の細長片８６は、双曲線状角度偏倚プロセスの間に分離されるワイヤの反対両端部間の幅狭首部分又はリブによって初めは適所に保持される別々のワイヤと交換し得る。ワイヤの各々の両端は、この時、以降に記載する外部及び内部アンカーによってバレル端子本体６２に固定するためのタブとして働く。こうしたワイヤ配置は、用語として本願明細書で使用されるように、「格子」を構成するものと理解される。以降にも説明するように、バレル端子８０の幾つかの態様は、バレル端子８０の外部又は内部端部のどちらにもタブを必要とし得ない。
外部格子アンカー
【００３７】
以下の記載は、以下の図面に部分的に示すのみのバレル端子８０の細長辺８６に双曲線角度偏倚を加えた後で、バレル端子本体６２に対する固定位置にバレル端子８０の一端部を固定的に取り付けるために使用される外部格子アンカーの幾つかの異なる態様を包含する。
【００３８】
バレル端子本体６２にバレル端子８０の外部端を固定的に取り付けるために用いられた外部格子アンカーの１つの態様は、図９、図１０及び図１１に示されている。図９には、バレル端子本体６２の外部端６６が、バレル端子本体６２の残部の外部直径より小さな直径の幅狭端部１００を具備する。図１０及び図１１の態様では、バレル端子本体６２の壁の端部１０１がバレル端子６２の側壁の残部と（同じか又は小さな直径で）隣接している。その後、外部帯スリーブすなわちアンカー１０２が、バレル端子８０の屈曲両端部上に押圧される。
【００３９】
図１０は、バレル端子８０がバレル端子本体６２の穴６８内に挿入される初期組立段階を示す。タブ８８は、図１０に示すような約３０°〜４５°までの角度で曲げられるか又はフレアが付されて角度が外向きになされる。外部スリーブ又は図９に示す態様のバンド１０２は、タブ８８内部で強制的に付勢される。図９に示す態様のバンド１０２は、バレル端子８０のタブ８８をバレル端子本体６２の直径縮小端部１００の外側表面上及び該外側表面と接触するように確実な圧入で曲げるべく寸法づけられた直径を有する。バンド又はアンカーの１０２の圧入はバレル端子８０の他の端部上のタブから所望の角度だけ偏倚した非回転位置にタブ８８を保持するのに十分であると考えられている。付加的な非回転強度が必要な場合、機械式固定又は構成装置はバレル端子本体６２及びバレル端子８０それ自体の外側端部の適所にバンド１０２を固定するために用い得る。
【００４０】
図１２から図１５までに示す外部格子アンカーは、上述した外部格子アンカーとは異なる固定技術を用いている。外部格子アンカーのこの態様は、バレル端子８０の反対端部に同じルーバー形状構成を与えることによって内端部格子アンカーとして使用し得る。したがって、図１２から図１７の格子固定技術の以下の説明は、外部格子アンカー及びバレル端子８０の内部格子アンカーの両方に等しく当てはまることが理解される。
【００４１】
図１２及び図１３に示すように、複数のいわゆる「ルーバー」１２０は、バレル端子本体６２の外壁に、例えば、型打ちによって、形成される。本発明のこの態様では、ルーバー１２０は、バレル端子本体６２に関する単一の周辺装構成で周方向に整合される。図１２に示すように、各ルーバー１２０の内側端部１２２は、型打ち又は他の成形後に、バレル端子本体６２の側壁の隣接する部分の内側端縁１２４から間隔を隔てられる。端縁１２４は格子タブ８８又は９０上に端縁を与えないように滑らかにされるか又は丸くされる。その後、タブ８８又は９０は、各ルーバー１２０の内側端部１２２と、図１２に示すようなバレル端子本体６２の側壁の隣接する端延１２４の間の開口を通じて挿入される。次に、図１４及び図１５から分かるように、図示しない、ピン又はプラグは、内向きに角度が付されたルーバー１２０を半径方向外向きに押圧してバレル端子本体６２の側壁と実質的に整合させるために、バレル端子本体６２の一端を通じて挿入し得る。これは、各ルーバー１２０の内側端部１２２にタブ８８及び９０の端部を機械的に圧着又は変形させて所望角度偏倚位置にバレル端子８０のタブ８８又は９０を保持する確実な機械式嵌合をする。
【００４２】
図１６及び図１７は、ルーバー１２０が、側部リブ１２８によって、バレル端子本体の側壁に連結された窪みとしてさらに形成される別のルーバー構成を描いている。タブ８８又は９０を受容する開口を形成するために、ルーバー１２０は、バレル端子本体６２の側壁の隣接する端部１２４から所定間隔で配置されたままである。ルーバー１２０に及ぼされた半径方向外向きの力は、バレル端子８０上のタブ８８又は９０を確実に回転しないように機械的に変形又は固定するために、図１７に示すように、ルーバー１２０を強制的にバレル端子本体６２の側壁に実質的に整合させる。
【００４３】
外部格子アンカーのための別のルーバー形状構成が図１８〜図２１に示されている。本発明による外部格子アンカーのこの態様では、ルーバー１２０は、ルーバー１２０が、バレル端子本体６２の側壁の周りで少なくとも２つのような、複数の、周方向バンド又は列１３２及び１３４で配置される以外は、上述されかつ図１２〜図１５又は図１６及び図１７に示すのと同じ態様で形成される。バレル端子８０上の交互のタブ８８又は９０は、軸線方向に最も内側のルーバー１２０のために削除されたタブ８８又は９０の何れかの超過長さを有する選択されたルーバー１２０間に挿入される。外向きの力は、ルーバー１２０に依然として働き、ルーバー１２０を強制的に半径方向外向きに曲げて、図２１に示すように、ルーバー１２０と、バレル端子本体６２の隣接する側壁の間のタブ８８及び９０を捕捉する。
【００４４】
図２２〜図２４は別の２重のルーバー外部格子又は内部格子アンカーを描いている。第１環状バンド１４０に配置された複数の周方向に間隔を置かれたルーバー１３８は型打ちのような適切な形成プロセスによって、例えば、内側端部１４４がバレル端子本体６２の側壁から半径方向内向きに突出しかつ外側端部１４６が最初にバレル端子本体６２の側壁から外向きに延在するように、バレル端子本体６２の本体６２の側壁に対してアングル形状に形成される。これは、各ルーバー１３８と、各ルーバー１３８の内側端部１４４及び外側端部１４６間の２つの隣接するタブ８８又は９０と、バレル端子本体６２の側壁の隣接部分と、を受容する、バレル端子本体６２の側壁の隣接部分の間に２つの対向する開口を画定する。バレル端子本体６２の内側及び外側の両方からの回転力は、１つのルーバー１３８と、バレル端子本体６２の側壁の隣接する部分との間に各タブ８８又は９０の端部を機械的に捕捉かつ固定するために、各ルーバー１３８を回転させて、図２３及び図２４に示すバレル端子本体６２の側壁と実質的に整合させる。図２２〜図２４に示すように、互い違いのタブ８８又は９０は２つの周方向のバンド１４０及び１４８に配置し得る。
【００４５】
ここで、図２５及び図２６を参照すると、内部又は盲穴端部アンカー１５２の一態様が示されている。アンカー１５２は、バレル端子本体６２を構成するのに使用される材料より柔らかい材料で構成されることが好ましい円錐形状の環状ディスク１５４の形態をしている。図２５に示すように、ディスク１５４は、対向する第１及び第２Ｖ字形状壁１５６及び１５８が形成されたＶ字形状を有する。
【００４６】
この態様では、タブ９０は、バレル端子本体６２の穴６８内の内壁７０に対して着座するように細長片８６の残部に対してアングル形状又は直角形状に最初に予め曲げられている。バレル端子８０が、内壁７０に隣接して配置されたタブ９０と共に、穴６８に挿入された後、バレル端子８０の細長片８６の内向きの穴６８内に挿入されたポンチ又は他の工具部材によって、力が、Ｖ字形状ディスク１５４を図２６に示す全体的に平ら又は平面形状に変形するために、該ディスク１５４の第１表面１５６に対して図２６に示す矢印の方向に加えられる。これは、バレル端子８０上のタブ９０を穴６８の内壁７０および隣接する側壁に対して圧縮して捕捉するように、ディスク１５４の柔軟材料を加えられた力の方向から半径方向且つ軸線方向に遠ざけるように移動させる。
【００４７】
図２７及び図２８に示す内部格子アンカー１６２は、ディスク形状格子アンカー１６２が図２７に示す平面状の平らな形状を最初に有すること意外は、格子アンカー１５２に類似する。このディスク形状格子アンカー１６２は、バレル端子８０の一端部で内向きに角度が付けられたタブ９０に対してバレル端子の細長片８６内部のバレル端子本体６２の穴６８内に挿入される。その後、アンカー１６２の材料をダイ又はポンチによって形成された移動穴領域１６４から半径方向且つ軸線方向に移動させるために、図示しないＶ字形状ダイ又はポンチがアンカー１６２の１つの表面内に強制的に圧入される。ポンチによって移動されたアンカー１６２の材料の容積は、半径方向且つ軸線方向外向きにタブ９０及びバレル端子本体６２の細長片８６の隣接する端部を錠止するように打ち込まれる。
【００４８】
内部格子アンカー１５２及び１６２の両方において、これらのアンカー１５２及び１６２の半径方向且つ軸線方向の膨張は、角度的に曲げられたタブ９０のための要求を削除するために、バレル端子細長片８６の端部を圧縮してバレル端子本体６２と確実に電気的に接触させるに十分な力を生成し得る。これは、タブ９０ともし得る、細長片８６の端部が、細長片８６の残部と実質的に直線形状のままでありかつバレル端子本体６２の穴６８の側壁に対して半径方向外向きにアンカー１５２及び１６２によって圧縮し得ることを意味する。
【００４９】
図２９及び図３０では、異なる内部格子アンカー１６８を示している。本発明のこの態様では、内部格子アンカー１６８は、自身に貫通形成された中央穴すなわち開口１７２を具備する全体的に平坦な座金１７０を具備する。座金１７０の開口１７２は、内壁７０を構成するバレル端子本体６２の固体部分の整数倍の延張部である先端部又は突出部１７４を受容する。先端部１７４は、全体的に円筒形状及び座金１７０の中央穴１７２を通じて先端部１７４を容易に延在可能にする直径を有する。
【００５０】
組立工程中に、バレル端子８０の細長片８６上のタブが該細長片８６に対して角度的に曲げられた状態で、あるいは曲げられない状態で、バレル端子８０がバレル端子本体６２の穴６８内に挿入された後で、先端部１７４の外側表面に図３０の矢印の方向に力が加えられる。これは、先端部１７４を半径方向外向きに急に増加させることにより座金１７０の外周を押圧してタブ９０又は細長片８６の隣接する部分をバレル端子本体６２に膨張錠止させる先端部１７４の材料の外向きの膨張に帰着する。先端部１７４部の半径方向外向きの急な増加は、座金１７０の穴１７２に隣接する座金１７０の隣接部分上の先端部１７４の外側端部の半径方向の膨張を引き起こす。この干渉は、本体６２からの座金１７０及びバレル端子８０の直線的な引き抜きを防ぐ。
【００５１】
同様の、しかし変更された内部格子アンカー１７８が図３１及び図３２に示されている。内部格子アンカー１７８は、バレル端子本体６２の中央部分の内壁７０から離れて突出する最初は円筒状の先端部１８０を含む。先端部１８０の外周は、内壁７０と、穴６８によるバレル端子本体６２に形成された内部側壁、及び先端部１８０それ自体の外周との間に外周環状凹所１８２を形成する。凹所１８２は、バレル端子本体８０の細長片８６の端部に角度を付けられて曲げられたタブ９０を受容する。
【００５２】
バレル端子８０のタブ９０が凹所１８２内に挿入された後で、先端部１８０にＶ字形状窪みを形成する、図示しないＶ字形状ポンチによって図３８の矢印の方向に力が加えられる。この窪みは、可鍛性金属の先端部１８０を、タブ９０及びバレル端子８０の細長片８６に対して半径方向且つ角度的に外向きに押圧し、バレル端子８０の内側端部をバレル端子本体６２に錠止する。
【００５３】
アンカー１８８がバレル端子本体６２の穴６８の内壁７０を一体的に突出させる実質的に円筒状の先端部１９０を含むから、図３３及び図３４に示す内部格子アンカー１８８は、上述されかつ図３７及び図３８に示されたものに類似する。先端部１９０は皿穴１９２を具備する。図示しない、皿穴１９２に特大の直径ポンチによって加えられた圧縮力は、皿穴１９２を包囲する先端部１９０の金属を押圧して半径方向且つ軸線方向外向きに機械的にタブ９０及び／又はバレル端子８０の細長片８０の端部をバレル端子本体６２の内側表面に対して錠止する。
【００５４】
内部格子アンカー１９６の別の態様は図３５及び図３６に描かれている。バレル端子本体６２を構成する材料が先端部１６８、１７８及び１８８のような一体的に形成された先端部の変形を可能にするのには十分に順応性がない個所に、アンカー１９６はコネクター用途で使用可能である
【００５５】
この用途では、穴１９８は、内壁７０と対向する内壁７６の間の端子ハウジング６０の中央中実部分によって構成される。円筒状のリベット状本体２００は１端部で拡大された端部フランジ２０２を具備する。本体２００は、端子ハウジング６０の穴７４内の内壁７６に隣接する拡大された端部フランジ２０２によって穴１９８を通じて挿入される。本体２００の他方の端部は、軸線方向に、バレル端子８０の細長片８６の端部のタブ９０を越えて内壁７０から離れて延在する皿穴２０４を具備する。皿穴２０４の図３６の矢印の方向に、ポンチ又はダイにより加えられた圧縮力は、可鍛性本体２００の一端を変形させる一方で、本体２００の端部の他のフランジ２０２は内壁７６に対して固定された位置に保持される。これは、タブ９０と、バレル端子８０の細長片の隣接する端部との間のリベット状機械式相互錠止内に本体２００の端部を半径方向外向きに変形して、バレル端子８０をバレル端子本体６２の内壁に接触させて錠止することに帰着する。
【００５６】
内部格子アンカー２１０の別の態様は図３７及び図３８に示されている。内部格子アンカー２１０は、図３５及び図３６に示すアンカー１６８と、図３１及び図３２に示すアンカー１７８との組合せである。内部格子アンカー２１０は、内壁７０から穴６８内に突出するバレル端子本体６２の内部中実部分の一体的な膨張として構成される円筒状先端部２１６を受容する中央穴２１４を具備する全体的に平面のディスク形状の座金２１２を含む。バレル端子８０が穴６８内に挿入された後、座金２１２は、バレル端子８０の細長片８６上で角度的に内向きに延在するタブ９０に隣接するバレル端子８０内部に挿入される。図３８の矢印方向の圧縮力は図示しないＶ字形状ポンチによって加えられる。このＶ字形状ポンチは座金２１２の一端部表面上に先端部２１６の可鍛性材料を外向きに膨張させて座金２１２を突出部９０と係合させかつ突出部９０及びバレル端子８０の隣接する端部部分８６をバレル端子本体６２の穴６８の内壁７０及び内側表面と錠止係合させる。
【００５７】
図３９及び図４０に示す内部格子アンカー２２０では、一体的な先端部２２２がバレル端子本体６２の中央部分から穴６８内に突出し、先端部２２６の外周部と、バレル端子本体６２の穴６８の隣接する側壁との間に深く、幅狭な環状凹所２２４を形成する。バレル端子本体８０の曲げられていない端部又はタブ９０は、凹所２２４に挿入される。その後、図示しない円形のＶ字形状のポンチは、先端部２２２にＶ字形状の切込み２２６を構成する先端部２２２の端部表面に対して直線的に付勢され、かつ先端部２２２の材料をひっくり返して凹所２２４を半径方向外向きに閉じてバレル端子８０の細長片８６の端部又はタブ９０をバレル端子本体６２の隣接する側壁に固定連結する。
【００５８】
図４１及び図４２に示す内部格子アンカー２３０は、上述した膨張可能な先端部アンカーからの逸脱である。アンカー２３０は、内壁７０から穴６８内に軸線方向内向きに突出する円筒状の先端部２３２を含む。先端部２３２の外周表面は、バレル端子本体６２の穴６８の内部の側壁を備えた環状凹所２３４を構成する。タブ９０又はバレル端子８０の細長片８６のタブ90又は端部は、図４１に示すような凹所２３４に挿入される。次に、図４２の矢印方向の外力は、少なくとも２つの直径方向で反対の部分あるいは、好ましくはバレル端子本体８０の外側表面の全円周、好ましくは内壁７０及び凹所２３４の位置に加えられる。この圧縮力は、バレル端子本体６２を構成する材料を変形させて図４２に示す窪み２３６内に入れ、かつ強制的に凹所２３４を閉じて、バレル端子本体６２の内壁と、先端部２３０の外周との間のバレル端子８０の細長片８６の端部上のタブ９０を錠止する。
【００５９】
図４３及び図４４に示す内部格子アンカー２４０は、アンカー２３０に類似し、かつバレル端子本体６２の穴６８内に挿入された環状の、全体的に平坦なディスク又は座金２４２を含む。図５０に矢印で示す外部の圧縮、周方向の力は、実質的に座金２４２の位置で、バレル端子本体６２の外側表面に加えられる。これらの力は、タブ９０及び／又はバレル端子８０の細長片の端部を座金２４２及びバレル本体６２の穴６８の側壁と機械的に相互錠止する座金２４２及びバレル端子本体６２の側壁を構成する金属の変形に帰着する窪み２４４に帰着する。
【００６０】
別の内部格子アンカー２４８は図４５及び図４６に示されている。アンカー２４８は、両方とも上述した、アンカー２４０及びアンカー１６８の組み合わせである。アンカー２４８は、バレル端子本体６２の内壁７０から穴６８へ軸線方向に突出する先端部２５０を含む。先端部２５０は、端子ハウジング６０の盲穴端部に、先端部２５０の周囲と穴６８の隣接する側壁の間の環状凹所２５２の形態をしている、凹所を機械加工することによって形成し得る。座金又は平面ディスク２５４は、座金２５４が内壁７０に隣接する穴６８の内側端部に配置される場合、先端部２５０の周囲周りに配置し得る中央穴２５６を具備する。図４６の矢印方向の外周の力は、座金２５４に概ね従って、バレル端子本体６２の外部に加えられる。力は、商用上利用可能な回転スエージング機械、８ポイントの圧子機械又は他の適切な型鉄で曲げる装置によって適用し得る。圧縮力は、側壁、タブ９０及びバレル端子８０の細長片８６の端部、座金２５４及び先端部２５０を確実に不動に連結の細長片８６の端部を機械的に相互連結して確実に不動に連結するためにバレル端子本体６２の側壁を変形する。
【００６１】
線形の力は、周方向の力が、座金２５４を高引抜保持力で穴６８に錠止するために、座金２５４の隣接する端部表面の周りに先端部２５０の端部を変形させるように加えるのと同時又は後で先端部２５０の外部に随意に加え得る。
【００６２】
図４７及び図４８に示す内部格子アンカー２７０の別の態様は、バレル端子本体６２の中央部分２７４から一体的に延在する円錐形の先端部２７２を含む。先端部２７２は、穴６８内に内部壁７０から離れて突出する円錐外部表面を有する。中央穴２７８を具備する全体的に環状の座金すなわちディスク２７６は、先端部２７２上に取り付けられる。
【００６３】
本発明のこの態様では、座金２７６内の穴２７８の内径は先端部２７２の最も小さな直径より僅かに大きいが先端部２７２の最大の直径より小さい。これは、座金２７６が先端部２７２上で短距離だけ挿入されることを可能にする。図４８の矢印の方向の、図示しない、ポンチによる直線力は、先端部２７２の軸線方向最内の最大の直径部分の周りの座金２７６を変形させる座金２７６の環状表面に加えられる。円錐形状先端部２７２は、細長片８６の端部を固定位置に錠止する穴６８の内側表面に対して、その端部で、今度は格子部材すなわち細長片８６及び突出部９０を押圧する座金２７６の半径方向外側膨張部を押圧する。座金膨張が完了すると、図示しない第２ポンチは、座金２７６が先端部２７２から分離するのを防ぐ座金２７６上の先端部２７２の露出した端部を拡張するか急に増やす。
【００６４】
内部アンカーの別の態様は、図４９〜図５１に見ることができる。バレル端子８０を構成するために使用され格子又は複数の別々のワイヤの代わりに、バレル端子２８４は平ら又は丸いワイヤから構成されて、複数の組み合わせられたＵ形状のワイヤ接点２８６から構成される。各接点２８６は、端部脚２９０によって一端部で相互連結される側部脚２８８から構成される。図４９に示すように、複数の接点２８６の各々の端部脚２９０は、他の頂部と、隣接する接点２８６の側部脚２８８から角度的に離れた各接点２８６の上の側部脚２８８の空間をとるように角度的に偏倚された側部脚２８８との上に互いに配置される。
【００６５】
端部脚２９０の接触部分は、好ましくは溶接又は上述したように、低温鑞付／ハンダ付により一緒に結合される。溶接点２９２は、接点組立体全体が穴６８内に単一ユニットとして挿入可能にバレル端子ハウジング６２の外部に形成されることが好ましい。
【００６６】
図５１に示すように、上述した、ディスク１５２又は１６２に類似する膨張可能なアンカーナット２９４は、その後接触組立体内部に挿入されかつ、各接点２８６の側部客２８８の少なくとも下側部分と、最も外側の接点２８６の少なくとも最も外側の端部脚２９０を、バレル端子ハウジング６２の内壁に対して押圧しかつ機械的に摘むように、アンカーナット２９４を半径方向且つ軸線方向外向きに膨張させるために、直線すなわち軸線方向力を受ける。
【００６７】
別の内部アンカー２９８は図５２〜図５４に示されている。このアンカー２９８では、膨張可能なディスク１５２及び１６２に類似する膨張可能なアンカーナット３００は、例えば、超音波又はコンデンサ放電溶接、あるいは上述したような低温蝋付／はんだ付けのような、適切な結合手段によって１つの表面に固定される複数の細長い個別の接点すなわちワイヤ細長片３０２を具備する。図５２及び図５４に示すように、全体的に直線のワイヤ３０２は概ね端部３０４でアンカーナット３００に溶接される。ワイヤ３０２はアンカーナット３００の外周表面から端子ハウジング６０の入口端部まで軸線方向に延在する。あるいは、接点ワイヤ３０２の端部３０４は、ナット３００への取付前に図５４に示す角度が付けられるか又は直角な形状構成に予備形成し得る。
【００６８】
内部格子アンカー１９６の別の態様は図３５及び図３６に描かれている。バレル端子本体６２を構成する材料が先端部１６８、１７８及び１８８のような一体的に形成された先端部の変形を可能にするのには十分に順応性がない個所に、アンカー１９６はコネクタ用途で使用可能である。
【００６９】
何れかの装置構成では、接点ワイヤ３０２は無駄なく所定長さに切断されかつ次いで予備形成又は型打ち又はアンカーナット３００に隣接する前に直線形状構成に形成し得る。
【００７０】
図５３又は図５４に示す形状に溶接されて、接点ワイヤ３０２の何れか必要な成形加工後に接点組立体全体はバレル端子ハウジング６２の穴６８内に挿入される。アンカーナット３０４は、図５４に示す態様で接点ワイヤ３０２の両端部３０４を駆動して穴６８の周囲壁及びバレル端子ハウジング６２の内壁７０としっかりと接触させる直線力を加えることによって、上述したように、その後、膨張される。
【００７１】
図５３に示す態様では、アンカーナット３００の膨張は、接点組立体をバレル端子ハウジング６２の適所に単に保持する。図５４に示す装置構成と比較して、接点ワイヤ３０２と穴６８の周囲壁の間により少ない接点が設けられる。
【００７２】
接点組立体全体は１ユニットとして、あるいは耐食抵抗要求及び／又は溶接干渉能力に依存する個々の要素として電気めっきし得る。
【００７３】
図５３及び図５４に示すアンカーナット３００装置構成への種々の接点ワイヤ３０２は、バレル端子本体６２にアンカーナット及び接点組立体全体を固定する別の結合過程を使用して、今、修正済のアンカーナットと共に説明する。
【００７４】
図５５及び図５６では、アンカーナット３１０は、円筒状シャフト３１４が延在する環状ディスク形状の端部部分３１２を含む。本発明のこの態様では、接点ワイヤ３０２は、図５４に示すような環状ディスク３１２の内側表面として参照される接点ワイヤ３０２に溶接又は結合される。環状ディスク３１２及び接点ワイヤ３０２の両端部３０４を引っ張って固定、機械的に嵌合、及び、穴６８及びバレル端子本体６２の内壁７０の内側表面と電気的に接触させるために、凹所３１６は、シャフトの反対端部に形成されかつ凹所３１６を包囲する側壁を半径方向外向きに膨張させて穴７４内の隣接する内壁７６と接触させる、図示しない、リベット・ポンチを受容する。
【００７５】
図５７では、同じリベット・タイプ接合技術は、穴７４の内壁７６にアンカー３２０をしっかりと固定するために用いられる。しかしながら、本発明のこの態様では、接点ワイヤ３０２は、上述され且つ図５３に示す態様と同じ態様で環状ディスク３１２の反対側又は外側表面に結合又は溶接される。この態様では、接点部材３０２は環状ディスク３１２の外周周りに巻かれない。導電性は図５５及び５６に示すアンカー３１０より小さい。
【００７６】
図５８及び図５９に示すアンカーナット３１０は、窪み３２４が環状ディスク３１２の端部表面３２６に形成されることを除いて、上述し且つ図５５及び図５６に示すものと等価である。この窪みは、溶接前にアンカーナット３１０の端部に形成された、例えば、アレンヘッド（Allen-head）、ポジドライブ（Posidrive）、正方形（square）等のような、ファスナー駆動装置を収容する。その後、接点組立体が、端子本体６０の穴６８内に配置された時に、適切なファスナー駆動装置は双曲線形態を捩じって接点ワイヤ３０２を作るために使用される。接点ワイヤ３０２及び環状ディスク３１２は、捩じったかあるいは角度的に回転した位置に残ったままであるが、アンカーナット３１０の対向するリベット端部は、上述したように、形成された双曲線捩じリを適所に固定して、膨張する。
【００７７】
図６０及び図６１には、アンカーは、上述され且つ図２５及び図２６に示すものと等価な円錐ディスク１５４の形態をしている。しかしながら、内部アンカーのこの態様では、個々の接点細長片又はワイヤ３０２は、円錐ディスク１５４の第２表面１５８に対して角度が付されて配置された両端部３０４で、例えば、溶接によって、結合される。
【００７８】
図６１に示すように、ディスク１５４は、その後、上述したように膨張し、バレル端子本体穴６８の内部間に接点ワイヤ３０２の両端部３０４をしっかりと挟む。
【００７９】
図６２及び図６３に示アンカー３３４は、接点ワイヤ３０２の両端部３０４がアンカー・ディスク又はナット１５４の反対側表面１５６に結合又は溶接されることを除いて、アンカー３３０に類似している。その結果、接点部材３０２とナット３００の間には、導電性及び機構強度が図６１及び図６２に示す内部アンカーよりも小さい電気経路ができる。
【００８０】
図６４及び図６５に示す内部アンカーの態様では、アンカーナット３００は、上述しかつ図２２及び図２８に示す環状ディスク１６２に類似する。接点ワイヤ３０２の両端部３０４が周りに巻かれかつ、例えば、溶接によって、内壁７０に面するアンカーナット３００の表面に結合される。アンカーナットにＶ字形状凹所を作るＶ字形状ポンチによるアンカーナット３００の膨張は、上述したように、アンカーナット３００の材料を押圧して、穴６８の内壁及びバレル端子本体６２の内壁７０にアンカーナット３００を半径方向且つ軸線方向外向きに緊密圧縮する。
【００８１】
図６６及び図６７に示すアンカー３４６は、接点ワイヤ３０２の両端３０４がバレル端子本体６２の内壁７０から遠れたアンカーナット３００の反対側表面に、溶接によって結合されることを除いて、図６４及び図６５に示すアンカー３３８に類似する。
【００８２】
図６８及び図６９は、図２９及び図３０に示すアンカーの環状座金１７０に類似するアンカーナット３００を具備する別のアンカーナット３５０を描いている。アンカーナット３００の穴３５２は、図２０及び図３０に示すアンカーと共に上述した先端部１７４の膨張によって、先端１７４の周りに配置可能でありかつ適所に固定される。接点ワイヤ３０２はナット３００の周りに巻かれかつ壁７０に面するナットの表面上でナット３００に結合される。
【００８３】
図７０及び図７１に示すアンカー３５６は、接点ワイヤ３０２の両端部３０４が、例えば、溶接によって、アンカーナット３００の反対側表面に結合されること以外は、アンカー３５２に類似する。
【００８４】
図７２及び図７３、また図７４及び図７５は、それぞれ、実質的に同一のアンカー３６０及び３６６を描いている。アンカー３６０及び３６２の各々は、アンカー・ディスク又はナット３００を含む。アンカー３６０では、接点ワイヤ３０２の両端部３０４は、例えば、溶接によって、アンカーナット３００の表面３６２に結合される。図７４及び図７５に示すアンカー３６６では、接点ワイヤ３０２の両端部３０４は、例えば、溶接によって、アンカーナット３００の反対側表面３６８に結合される。
【００８５】
アンカー３６０では、隆起した突出部３６４は、バレル端子本体６２中の内壁７０の中央部分から延在する。突出部３６４は、接点ワイヤ３０２の半径方向内側両端端３０４間に着座しかつ図７３に示すアンカーナット３００の表面３６２に、上述したような、例えば、溶接によって、結合のための位置を与える。
【００８６】
接点ワイヤ３０２の両端３０４はアンカーナット３００の反対側表面３６８に結合されるので、図７４及び図７５に示すアンカー３６６のアンカーナット３００は平坦表面３６２を有する。表面３６２は溶接されるか、あるいはさもなくば図８５に示すようなバレル端子本体６２の穴６８の端部で内壁７０に固定的に結合される。
【００８７】
図７６及び図７７に示すアンカー３７２は、突出部３６４が、アンカー３６０内でのように内壁７０から延在する場合のアンカー３６０と等価である。しかしながら、図７７に示すように、バレル端子本体６２の内壁７０にアンカーナット３００を溶接する代わりに、側壁の金属を、膨張させ、かつ穴６８の側壁の包囲した内側表面及びバレル端子本体６２の内壁７０と確実に接点させる、穴６８の内側端部の領域の側壁を圧縮するために、周方向の力がバレル端子本体６２の外部側壁に加えられる。
【００８８】
図７８及び図７９に示すアンカー３７６は、アンカーナット３００の反対側表面に接点ワイヤ３０２の両端部３０４が、例えば、溶接によって結合されること以外は、図７４及び図７５に示すアンカー３６６に等価である。アンカーナット３００及び接点ワイヤ３０２をバレル端子本体６２の穴６８内に保持するように、バレル端子本体６２の側壁を変形させて接点ワイヤ３０２及びアンカーナット３０２と確実に接点させるために、図７９に示すようなアンカーナット３００と実質的に一直線上にあるバレル端子本体６２の側壁に周方向の力を加える。
【００８９】
図８０及び図８１に示すアンカー３８０は、接点ワイヤ３０２の両端部３０４が側端縁の周りに巻かれるかアンカーナット３００の一端表面に溶接されるという点で、図８１及び図８１に示すアンカー３８０はアンカー３５０に等価である。アンカーナット３００の穴は自身を貫通する突出部又は先端部１７４を受容する。先端１７４は、バレル端子本体６２の穴６８内に内壁７０から軸線方向に突出する。
【００９０】
上述のように、先端部１７４の変形は、アンカーナット３００を半径方向且つ軸線方向外向きに膨張させて、接点ワイヤ３０２の両端３０４をバレル端子本体６２の穴６８の周囲壁と機械的及び電気的に確実に接続するように強制的に打ち込む。アンカーナット３００、接点ワイヤ３０２及び先端部１７４を圧縮し且つ機械的にアンカーナット３００に結合するために、周囲の力がバレル端子本体６２に加えられる。外向きに増大する、先端部１７４の外側端部は、穴６８のアンカーナット３００を機械的に錠止する。
【００９１】
図８２及び図８３に示すアンカー３８４は、アンカーナット３００の反対側表面に接点ワイヤ３０２の両端部３０４が結合されること以外は、円周方向に変形する力を使用することによって、アンカー３８０に類似な態様で構成される。
【００９２】
図８４及び図８５に示すアンカー３８８と、図８６及び図８７に示すアンカー３９２とは、それぞれ、図８０及び図８２に示すアンカーナット３００と、接点３０２と、に等価である。先端２７２が、先端部３７２の最小外側直径よりも大きいが、先端部３７２の最大外側直径よりも小さい内径を有するアンカーナット３００の内部穴を具備する円錐形状を有するという点で、該先端２７２は図４７及び図４８に示すアンカー２７０に対して上述したものに等価である。図８５及び図８７に示すような、アンカーナット３００への圧縮力は、アンカーナット並びに、図８５に示すアンカー３８８の場合には接点３０２の端部３０４、そして図８７に示すアンカー３９２の場合にはアンカーナット３００のみ、をバレル端子本体６２の穴６８ンお周囲壁と確実な機械的接触させる。
【００９３】
図８８及び図８９は、接点３０２と係合するバレル端子本体６２の穴６８内に摺動可能に挿入されるように構成された接続ピン４００内の噛合凹所３９８と係合する位置での移動止め３９６を含む。移動止め３９６は、アンカーナット３００から間隔を置かれた位置に形成される。アンカーナット３００並びに接点３０２は上述した内部固定技術及び方法の何れかによってバレル端子本体に内側端部で固定されることが理解される。
【００９４】
移動止め３９６は、例えば、図８８に示す滑らかな弧状形状又はより角度が付けられたランプ状形状のような形状を取り得る。移動止め３９６並びにピン４００の噛合挿入端部４０２の角度及び高さは、コネクターに与えられる挿入及び抜出力を決定する。
【００９５】
上述した外側端部格子アンカー技術及び内側端部格子アンカー技術は、互いに、特に特定の用途要求、端子等の全体寸法に依存して何れかの組合せで用い得る。
【図面の簡単な説明】
【００９６】
【図１】従来技術のバレル端子を製造するのに使用される平坦な打ち抜き金属シートの平面図である。
【図２】円筒形に成形された図１の打ち抜き品の側部立面図である。
【図３】図２の打ち抜き品の周りに配設された、緊密に嵌合する円筒形スリーブを示す俯瞰図である。
【図４】バレル端子を製造する後続の段階の俯瞰図である。
【図５】製造方法の後続の段階を示す拡大した側部立面の断面図である。
【図６】製造方法のさらに後続の段階を示す拡大した側部立面の断面図である。
【図７】製造方法の他の段階を示す俯瞰図である。
【図８】バレル端子の最終組み立て状態の側部立面長手方向の断面図である。
【図９】本発明によって製造されたバレル端子をその中に搭載する従来技術のコネクターを示す長手方向の断面図である。
【図１０】図９に示したバレル端子の組み立てにおける一段階を示す、部分的に展開した長手方向の断面図である。
【図１１】図９に示したバレル端子の完成された外部格子アンカーの端部を示す長手方向の断面図である。
【図１２】外部格子アンカーの他の態様を示す拡大した長手方向の断面図である。
【図１３】図１２に示した格子及び外部アンカーの組み立てにおける部分的な段階を示す部分平面図である。
【図１４】図１３と全体的に類似しているが、図１２及び１３による格子及び外部アンカーの完成された組み立て状態を示す長手方向の断面図である。
【図１５】図１４に示した完成された外部格子アンカーの平面図である。
【図１６】図１２と類似しているが、部分的に組み立てられた状態の羽板外部格子アンカーの他の態様を示す部分的な長手方向の断面図である。
【図１７】図１２と類似しているが、完全に組み立てられた状態の羽板外部格子アンカーの他の態様を示す部分的な長手方向の断面図である。
【図１８】全体的に図１２と類似しているが、本発明の他の態様による多重列の羽板外部格子アンカーの代替の態様を示す部分的な長手方向の断面図である。
【図１９】図１８に示した部分的に組み立てられた羽板外部格子アンカーの部分的な平面図である。
【図２０】全体的に図１８と類似しているが、本発明のこの態様の外部格子アンカーの完成された状態を示す長手方向の断面図である。
【図２１】図２０に示した外部格子アンカーの完成された状態の部分平面図である。
【図２２】全体的に図１２と類似しているが、本発明による二重列羽板外部格子アンカーのさらに他の態様を部分的に組み立てた状態で示す部分的な長手方向の断面図である。
【図２３】図２２と類似しているが、図２２の外部格子アンカーを完全に組み立てた状態で示す部分的な長手方向の断面図である。
【図２４】図２３に示した外部格子アンカーの完成された状態の立面平面図である。
【図２５】本発明による内部アンカーの他の態様を部分的に組み立てた状態で示す部分的な拡大した長手方向の断面図である。
【図２６】本発明による内部アンカーの他の態様を完全に組み立てた状態で示す部分的な拡大した長手方向の断面図である。
【図２７】本発明による内部アンカーの他の態様を部分的に組み立てた状態で示す部分的な拡大した長手方向の断面図である。
【図２８】本発明による内部アンカーの他の態様を完全に組み立てた状態で示す部分的な拡大した長手方向の断面図である。
【図２９】本発明による内部アンカーの他の態様を部分的に組み立てた状態で示す部分的な拡大した長手方向の断面図である。
【図３０】本発明による内部アンカーの他の態様を完全に組み立てた状態で示す部分的な拡大した長手方向の断面図である。
【図３１】本発明による内部アンカーの他の態様を部分的に組み立てた状態で示す部分的な拡大した長手方向の断面図である。
【図３２】本発明による内部アンカーの他の態様を完全に組み立てた状態で示す部分的な拡大した長手方向の断面図である。
【図３３】本発明による内部アンカーの他の態様を部分的に組み立てた状態で示す部分的な拡大した長手方向の断面図である。
【図３４】本発明による内部アンカーの他の態様を完全に組み立てた状態で示す部分的な拡大した長手方向の断面図である。
【図３５】本発明による内部アンカーの他の態様を部分的に組み立てた状態で示す部分的な拡大した長手方向の断面図である。
【図３６】本発明による内部アンカーの他の態様を完全に組み立てた状態で示す部分的な拡大した長手方向の断面図である。
【図３７】本発明による内部アンカーの他の態様を部分的に組み立てた状態で示す部分的な拡大した長手方向の断面図である。
【図３８】本発明による内部アンカーの他の態様を完全に組み立てた状態で示す部分的な拡大した長手方向の断面図である。
【図３９】本発明による内部アンカーの他の態様を部分的に組み立てた状態で示す部分的な拡大した長手方向の断面図である。
【図４０】本発明による内部アンカーの他の態様を完全に組み立てた状態で示す部分的な拡大した長手方向の断面図である。
【図４１】本発明による内部アンカーの他の態様を部分的に組み立てた状態で示す部分的な拡大した長手方向の断面図である。
【図４２】本発明による内部アンカーの他の態様を完全に組み立てた状態で示す部分的な拡大した長手方向の断面図である。
【図４３】本発明による内部アンカーの他の態様を部分的に組み立てた状態で示す部分的な拡大した長手方向の断面図である。
【図４４】本発明による内部アンカーの他の態様を完全に組み立てた状態で示す部分的な拡大した長手方向の断面図である。
【図４５】本発明による内部アンカーの他の態様を部分的に組み立てた状態で示す部分的な拡大した長手方向の断面図である。
【図４６】本発明による内部アンカーの他の態様を完全に組み立てた状態で示す部分的な拡大した長手方向の断面図である。
【図４７】本発明による内部アンカーの他の態様を部分的に組み立てた状態で示す部分的な拡大した長手方向の断面図である。
【図４８】本発明による内部アンカーの他の態様を完全に組み立てた状態で示す、部分的な拡大した長手方向の断面図である。
【図４９】本発明の他の態様による内部アンカーの予備組み立て状態を示す、部分的に展開した俯瞰図である。
【図５０】全体的に図５１の線５０〜５０に沿って描いた断面図である。
【図５１】図４９及び５０に示した内部アンカーの端子本体への搭載を示す、部分的な拡大した長手方向の断面図である。
【図５２】本発明による内部アンカーの他の態様の端部の図である。
【図５３】図５２に示した内部アンカーの名が手方向の断面図である。
【図５４】全体的に図５３と類似しているが、図５２及び５３に示した内部アンカーの修正である内部アンカーの他の態様を示す長手方向の断面図である。
【図５５】本発明による内部アンカーの他の態様を部分的に組み立てた状態で示す部分的な拡大した長手方向の断面図である。
【図５６】本発明による内部アンカーの他の態様を完全に組み立てた状態で示す部分的な拡大した長手方向の断面図である。
【図５７】内部アンカーの他の態様を、図６５に示した内部アンカーに類似した内部アンカーの初期の予備組み立て状態で示す、部分的な拡大した長手方向の断面図である。
【図５８】本発明による内部アンカーの他の態様を部分的に組み立てた状態で示す部分的な拡大した長手方向の断面図である。
【図５９】本発明による内部アンカーの他の態様を完全に組み立てた状態で示す部分的な拡大した長手方向の断面図である。
【図６０】本発明による内部アンカーの他の態様を部分的に組み立てた状態で示す部分的な拡大した長手方向の断面図である。
【図６１】本発明による内部アンカーの他の態様を完全に組み立てた状態で示す部分的な拡大した長手方向の断面図である。
【図６２】本発明による内部アンカーの他の態様を部分的に組み立てた状態で示す部分的な拡大した長手方向の断面図である。
【図６３】本発明による内部アンカーの他の態様を完全に組み立てた状態で示す部分的な拡大した長手方向の断面図である。
【図６４】本発明による内部アンカーの他の態様を部分的に組み立てた状態で示す部分的な拡大した長手方向の断面図である。
【図６５】本発明による内部アンカーの他の態様を完全に組み立てた状態で示す部分的な拡大した長手方向の断面図である。
【図６６】本発明による内部アンカーの他の態様を部分的に組み立てた状態で示す部分的な拡大した長手方向の断面図である。
【図６７】本発明による内部アンカーの他の態様を完全に組み立てた状態で示す部分的な拡大した長手方向の断面図である。
【図６８】本発明による内部アンカーの他の態様を部分的に組み立てた状態で示す部分的な拡大した長手方向の断面図である。
【図６９】本発明による内部アンカーの他の態様を完全に組み立てた状態で示す部分的な拡大した長手方向の断面図である。
【図７０】本発明による内部アンカーの他の態様を部分的に組み立てた状態で示す部分的な拡大した長手方向の断面図である。
【図７１】本発明による内部アンカーの他の態様を完全に組み立てた状態で示す部分的な拡大した長手方向の断面図である。
【図７２】本発明による内部アンカーの他の態様を部分的に組み立てた状態で示す部分的な拡大した長手方向の断面図である。
【図７３】本発明による内部アンカーの他の態様を完全に組み立てた状態で示す部分的な拡大した長手方向の断面図である。
【図７４】本発明による内部アンカーの他の態様を部分的に組み立てた状態で示す部分的な拡大した長手方向の断面図である。
【図７５】本発明による内部アンカーの他の態様を完全に組み立てた状態で示す部分的な拡大した長手方向の断面図である。
【図７６】本発明による内部アンカーの他の態様を部分的に組み立てた状態で示す部分的な拡大した長手方向の断面図である。
【図７７】本発明による内部アンカーの他の態様を完全に組み立てた状態で示す部分的な拡大した長手方向の断面図である。
【図７８】本発明による内部アンカーの他の態様を部分的に組み立てた状態で示す部分的な拡大した長手方向の断面図である。
【図７９】本発明による内部アンカーの他の態様を完全に組み立てた状態で示す部分的な拡大した長手方向の断面図である。
【図８０】本発明による内部アンカーの他の態様を部分的に組み立てた状態で示す部分的な拡大した長手方向の断面図である。
【図８１】本発明による内部アンカーの他の態様を完全に組み立てた状態で示す部分的な拡大した長手方向の断面図である。
【図８２】本発明による内部アンカーの他の態様を部分的に組み立てた状態で示す部分的な拡大した長手方向の断面図である。
【図８３】本発明による内部アンカーの他の態様を完全に組み立てた状態で示す部分的な拡大した長手方向の断面図である。
【図８４】本発明による内部アンカーの他の態様を部分的に組み立てた状態で示す部分的な拡大した長手方向の断面図である。
【図８５】本発明による内部アンカーの他の態様を完全に組み立てた状態で示す部分的な拡大した長手方向の断面図である。
【図８６】本発明による内部アンカーの他の態様を部分的に組み立てた状態で示す部分的な拡大した長手方向の断面図である。
【図８７】本発明による内部アンカーの他の態様を完全に組み立てた状態で示す部分的な拡大した長手方向の断面図である。
【図８８】挿入可能なピンと嵌合するための内部戻り止めを有する本発明の他の態様によるバレル端子用格子の部分的な拡大した長手方向の断面図である。
【図８９】図８８に示した格子戻り止めに対してピンを完全に挿入した位置を示す部分的な拡大した断面図である。
【符号の説明】
【００９７】
２０  ブランク
２２  ウェブ部分
２４  ストリップ（細長片）
２６  タブ
２８  スリーブ
３０           第１ハウジング
３２  中央穴
３４  第１端部
３６  第２端部
４０  第２ハウジング
５０  管状ツール
【図１】
2005510038.tif 000003
【図２】
2005510038.tif 000004
【図３】
2005510038.tif 000005
【図４】
2005510038.tif 000006
【図５】
2005510038.tif 000007
【図６】
2005510038.tif 000008
【図７】
2005510038.tif 000009
【図８】
2005510038.tif 000010
【図９】
2005510038.tif 000011
【図１０】
2005510038.tif 000012
【図１１】
2005510038.tif 000013
【図１２】
2005510038.tif 000014
【図１４】
2005510038.tif 000015
【図１３】
2005510038.tif 000016
【図１５】
2005510038.tif 000017
【図１６】
2005510038.tif 000018
【図１７】
2005510038.tif 000019
【図１８】
2005510038.tif 000020
【図１９】
2005510038.tif 000021
【図２０】
2005510038.tif 000022
【図２１】
2005510038.tif 000023
【図２２】
2005510038.tif 000024
【図２３】
2005510038.tif 000025
【図２４】
2005510038.tif 000026
【図２５】
2005510038.tif 000027
【図２６】
2005510038.tif 000028
【図２７】
2005510038.tif 000029
【図２８】
2005510038.tif 000030
【図２９】
2005510038.tif 000031
【図３０】
2005510038.tif 000032
【図３１】
2005510038.tif 000033
【図３２】
2005510038.tif 000034
【図３３】
2005510038.tif 000035
【図３４】
2005510038.tif 000036
【図３５】
2005510038.tif 000037
【図３６】
2005510038.tif 000038
【図３７】
2005510038.tif 000039
【図３８】
2005510038.tif 000040
【図３９】
2005510038.tif 000041
【図４０】
2005510038.tif 000042
【図４１】
2005510038.tif 000043
【図４２】
2005510038.tif 000044
【図４３】
2005510038.tif 000045
【図４４】
2005510038.tif 000046
【図４５】
2005510038.tif 000047
【図４６】
2005510038.tif 000048
【図４７】
2005510038.tif 000049
【図４８】
2005510038.tif 000050
【図４９】
2005510038.tif 000051
【図５０】
2005510038.tif 000052
【図５１】
2005510038.tif 000053
【図５２】
2005510038.tif 000054
【図５３】
2005510038.tif 000055
【図５４】
2005510038.tif 000056
【図５５】
2005510038.tif 000057
【図５６】
2005510038.tif 000058
【図５７】
2005510038.tif 000059
【図５８】
2005510038.tif 000060
【図５９】
2005510038.tif 000061
【図６０】
2005510038.tif 000062
【図６１】
2005510038.tif 000063
【図６２】
2005510038.tif 000064
【図６３】
2005510038.tif 000065
【図６４】
2005510038.tif 000066
【図６５】
2005510038.tif 000067
【図６６】
2005510038.tif 000068
【図６７】
2005510038.tif 000069
【図６８】
2005510038.tif 000070
【図６９】
2005510038.tif 000071
【図７０】
2005510038.tif 000072
【図７１】
2005510038.tif 000073
【図７２】
2005510038.tif 000074
【図７３】
2005510038.tif 000075
【図７４】
2005510038.tif 000076
【図７５】
2005510038.tif 000077
【図７６】
2005510038.tif 000078
【図７７】
2005510038.tif 000079
【図７８】
2005510038.tif 000080
【図７９】
2005510038.tif 000081
【図８０】
2005510038.tif 000082
【図８１】
2005510038.tif 000083
【図８２】
2005510038.tif 000084
【図８３】
2005510038.tif 000085
【図８４】
2005510038.tif 000086
【図８５】
2005510038.tif 000087
【図８６】
2005510038.tif 000088
【図８７】
2005510038.tif 000089
【図８８】
2005510038.tif 000090
【図８９】
2005510038.tif 000091
【国際調査報告】
2005510038.tif 000092
2005510038.tif 000093
2005510038.tif 000094